(57)【要約】【課題】業務に支障をきたすことなくデフラグメントを実行できる、写真処理装置を提供する。【解決手段】写真処理装置１０はメインコンピュータ１４を含む。終業点検後、メインコンピュータ１４のハードディスク２０のデフラグメントを実行する。デフラグメントの状態が終了条件に該当したときメインコンピュータ１４の電源を切断する。【選択図】　　　　図１
2004012965.tif 000002
【特許請求の範囲】
【請求項１】
コンピュータの記憶手段に記憶されたデータを用いて写真処理を実行する写真処理装置であって、
終業点検後に前記記憶手段のデフラグメントを実行する手段、
前記デフラグメントの状態を監視する手段、および
前記デフラグメントの状態が終了条件に該当したとき前記コンピュータの電源を切断する手段を備える、写真処理装置。
【発明の詳細な説明】
【０００１】
【発明の属する技術分野】
この発明は写真処理装置に関し、より特定的には、コンピュータの記憶手段に記憶されたデータを用いてプリント処理を実行する写真処理装置に関する。
【０００２】
【従来の技術】
通常、写真処理装置による写真処理業務が終了すると終業点検が行われる。
このとき、写真処理装置のモニタに表示される終業点検画面を見ながら、たとえばプリント枚数の集計や現像部の各部の洗浄などが行われ、それらの処理が終了すると、メインコンピュータおよび写真処理装置の終了・立ち上げを自動的に行うためのプログラムタイマが稼働する。
その後、写真処理装置のメインプログラムが終了され、プログラムタイマの稼働によって、メインコンピュータおよび写真処理装置の電源が所定の終了時刻になると自動的に切断（シャットダウン）される。
そして、翌営業日の所定時刻になるとプログラムタイマによってメインコンピュータおよび写真処理装置の電源が自動的にオンされメインコンピュータが立ち上がる。そして写真処理装置のメインプログラムが起動される。
【０００３】
一方、このような写真処理装置では、印画紙への焼き付け処理を行うときに、たとえばフィルムの画像から得られた画像データが用いられるが、この画像データはハードディスクに記憶されている。このハードディスクへの画像データの読み書きが頻繁に行われるとハードディスクに記憶される画像データが断片化されてしまう。ハードディスク内の画像データの断片化が進むとハードディスクの読み書きが遅くなり、プリント処理能力が落ちてしまい、写真処理装置本来の能力が発揮できなくなる。一実験例では、プリント枚数は、通常時は１４６４枚／時間に対し、ハードディスクが断片化したときには１２８９枚／時間であった。このように断片化したハードディスクを元の状態に復旧させ写真処理装置本来のプリント処理能力を復旧させるために、オペレータはハードディスクのデフラグメントを実行していた。
【０００４】
【発明が解決しようとする課題】
しかし、デフラグメントによって断片化したハードディスクを元の状態に復旧させるには、写真処理装置を長時間（３０分〜１２０分）停止させる必要がある。このようにデフラグメントを実行するには写真処理装置を停止させなければならず、業務に支障をきたしてしまうという問題点があった。
それゆえに、この発明の主たる目的は、業務に支障をきたすことなくデフラグメントを実行できる、写真処理装置を提供することである。
【０００５】
【課題を解決するための手段】
上述の目的を達成するために、コンピュータの記憶手段に記憶されたデータを用いて写真処理を実行する写真処理装置であって、終業点検後に記憶手段のデフラグメントを実行する手段、デフラグメントの状態を監視する手段、およびデフラグメントの状態が終了条件に該当したときコンピュータの電源を切断する手段を備える。
【０００６】
請求項１に記載の写真処理装置では、デフラグメントの実行を指示すると、終業点検後コンピュータの電源が切断される前にデフラグメントが自動的に実行され、その後、必ずコンピュータの電源を切断するように処理される。したがって、翌営業日の写真処理業務を開始するときには、プログラムタイマの稼働によって写真処理装置が起動されており、円滑に業務を開始できる。
【０００７】
【発明の実施の形態】
以下、図面を参照してこの発明の実施形態について説明する。
図１を参照して、この発明の一実施形態の写真処理装置１０はコントロールユニット１２を含む。コントロールユニット１２はメインコンピュータ１４を含み、メインコンピュータ１４は、ＣＰＵ１６、メモリ１８、ハードディスク２０およびＣＤ−ＲＯＭ２２等を含む。ＣＰＵ１６によってメインコンピュータ１４ひいては写真処理装置１０の動作が制御され、メモリ１８には演算データ等が一時的に格納され、ハードディスク２０には、たとえば図２に示すような、写真処理装置１０を制御するためのメインプログラム、デフラグメントを実行するためのディスクデフラグメントツール、およびディスクデフラグメントツールを操作するためのシャットダウンプログラムや、処理すべき画像の画像データ等が格納される。ディスクデフラグメントツールは、ＯＳ（オペレーティングシステム）に内蔵されているものであってもよく、たとえばマイクロソフト社製のＷｉｎｄｏｗｓ（Ｒ）２０００に標準添付されているディスクデフラグメントツールが用いられてもよい。メインコンピュータ１４には画像データに所定の処理を施すための画像処理部２４がたとえばＡＲＣＮＥＴによって接続される。
【０００８】
コントロールユニット１２には、オペレータによる種々の指示や設定を行うためのキーボード２６、および画像データに基づく画像等を表示するためのモニタ２８が接続される。
このようなコントロールユニット１２、キーボード２６およびモニタ２８は、たとえばパーソナルコンピュータを用いて構成される。
さらに、コントロールユニット１２には、ハードディスク２０に格納された画像データに基づく画像を印画紙等の感光材料に露光するプリント部３０が接続される。プリント部３０で露光された感光材料は現像部３２で現像処理され、さらに、乾燥部３４で乾燥される。
【０００９】
このような写真処理装置１０の主要動作の一例を図３を参照して説明する。
まず、写真処理装置１０のメインプログラムの稼働中において、モニタ２８に終業点検画面を表示させ（ステップＳ１）、その終業点検画面を見ながら、たとえばプリント枚数の集計や現像部３２の各部の洗浄などの終了処理が行われる（ステップＳ３）。このとき、たとえば終業点検画面にデフラグメント起動ボタンを設けておき、オペレータはそのデフラグメント起動ボタンをオンするか否かでデータフラグメントを実行する／しないを選択する。
【００１０】
それらの処理が終了すると、メインコンピュータ１４および写真処理装置１０の終了・立ち上げを自動的に行うためのプログラムタイマが稼働される（ステップＳ５）。
その後、シャットダウンプログラムが起動される（ステップＳ７）。ハードディスク２０のデフラグメントが実行される場合にはデフラグメント実行パラメータがシャットダウンプログラムに渡される。そして、写真処理装置１０のメインプログラムは終了する。
【００１１】
デフラグメントが実行される場合には（ステップＳ１１がＹＥＳ）、シャットダウンプログラムの稼働によって、ディスクデフラグメントツールが起動され、ハードディスク２０のデフラグメントが自動的に実行される（ステップＳ１３）。このデフラグメントは、プログラムタイマの稼働中において、写真処理装置１０のメインプログラムの終了後かつメインコンピュータ１４および写真処理装置１０の電源を切断する前に実行される。このとき、メインプログラムを終了していなければ、デフラグメントの効果が十分に得られない。
デフラグメントが正常に動作しているか否かをたとえば３秒毎に検知することによってデフラグメントは監視され（ステップＳ１５）、ディスクデフラグメントツールの終了条件に該当するか否かが判断される（ステップＳ１７）。
【００１２】
終了条件は、ここでは次の▲１▼〜▲４▼である。
▲１▼ディスクデフラグメントツールのＣＰＵ使用率０％の状態が３分間継続した場合。この場合、デフラグメントが終了した、あるいはディスクデフラグメントツールがロックしたとみなし、終了する。
▲２▼デフラグメントを実行してから２時間３０分を経過した場合。デフラグメントの実行時間は最大２時間３０分とし、それ以上経過する場合はデフラグメントに異常があるとみなし、強制終了する。
▲３▼プログラムタイマによる写真処理装置１０およびメインコンピュータ１４の起動時刻の１時間前になった場合。プログラムタイマによる写真処理装置１０等の起動や現像処理液の温度調整を妨げないようにするためである。
▲４▼瞬時停電が発生した場合。
【００１３】
上述の▲１▼〜▲４▼のいずれの終了条件にも該当しないときにはステップＳ１５に戻り、一方、▲１▼〜▲４▼のいずれかの終了条件に該当したとき、ステップＳ１９に進み、ディスクデフラグメントツールが終了され、メインコンピュータ１４および写真処理装置１０の電源が自動的に切断され、終了する。
また、ステップＳ１１においてデフラグメントを実行しないときには、ステップＳ１９に進みメインコンピュータ１４および写真処理装置１０の電源が切断される。
【００１４】
このような写真処理装置１０によれば、終業点検時にデフラグメントの実行を指示し、デフラグメントが実行されると、その後、必ず▲１▼〜▲４▼のいずれかの終了条件に該当し、必ずメインコンピュータ１４および写真処理装置１０の電源を切断できる。したがって、翌営業日の写真処理業務を開始するときには、プログラムタイマの稼働によって写真処理装置１０が起動されており、円滑に業務を開始できる。
【００１５】
ここで、もし、メインコンピュータ１４および写真処理装置１０の電源を切断できずオンされ続けていれば、翌営業日の業務開始前にまずメインコンピュータ１４および写真処理装置１０の電源を切断し、その後再びオンする必要がある。その場合１〜２時間程度業務開始の為の準備時間を要するので、業務をすぐに行うことができなくなり、業務に支障をきたす。
【００１６】
しかし、上述のように、写真処理装置１０によれば、必ずメインコンピュータ１４および写真処理装置１０の電源を切断できるので、このような弊害はなく、業務に支障をきたすことはない。
また、デフラグメントは終業点検後、通常夜間に実行できるので、業務中に写真処理装置１０を停止させることなくプリント処理能力を復旧できる。
【００１７】
【発明の効果】
この発明によれば、業務に支障をきたすことなくデフラグメントを実行でき、プリント処理能力を復旧できる。
【図面の簡単な説明】
【図１】この発明が適用される一実施形態を示す図解図である。
【図２】ハードディスクに格納されるプログラムを示す図解図である。
【図３】この発明の動作の一例を示すフロー図である。
【符号の説明】
１０　　　写真処理装置
１２　　　コントロールユニット
１４　　　メインコンピュータ
２０　　　ハードディスク
２６　　　キーボード
２８　　　モニタ
【図１】
2004012965.tif 000003
【図２】
2004012965.tif 000004
【図３】
2004012965.tif 000005